(57)【要約】      （修正有）【課題】通常使用されている状態において、外観の損傷を低減することが可能な人間もしくは車両用アクセス制御装置、人間もしくは車両にアクセス許可を与えるためのパーキングコラム、又は人間もしくは車両にアクセス許可を与えるための自動販売／支払い機のハウジングを提供する。【解決手段】ハウジングは、少なくともその一部５が透明材料によって形成されている。この透明材料によって形成されたハウジングの一部５の内側には、塗装、箔、もしくは少なくとも１つの粘着ラベルが設けられ、この塗装、箔、もしくは少なくとも１つの粘着ラベルは、外部から目視可能な情報を透明材料によって形成されたハウジングの一部５の内側に付与することによって、透明材料によって形成されたハウジングの一部５の外観を形状以外により規定する特徴が形成されている。【選択図】図２
0003201643.tif 000002
【実用新案登録請求の範囲】
【請求項１】
人間もしくは車両用アクセス制御装置（１）、人間もしくは車両にアクセス許可を与えるためのパーキングコラム、又は人間もしくは車両にアクセス許可を与えるための自動販売／支払い機のハウジング（４）であって、
少なくともその一部（５）が透明材料によって形成され、組み立てられた状態における前記透明材料によって形成された一部（５）の内側に、塗装、箔、もしくは少なくとも１つの粘着ラベルを設け、前記塗装、箔、もしくは少なくとも１つの粘着ラベルによって、前記透明材料によって形成された一部（５）の外観を形状以外により規定する特徴を形成する、
ことを特徴とする人間もしくは車両用アクセス制御装置（１）、人間もしくは車両にアクセス許可を与えるためのパーキングコラム、又は人間もしくは車両にアクセス許可を与えるための自動販売／支払い機のハウジング（４）。
【請求項２】
前記透明材料からつくられたハウジング（４）の少なくとも一部（５）は、透明なプラスチック、プレキシガラス、強化ガラス、又は安全ガラスによって形成されている、
ことを特徴とする請求項１記載の人間もしくは車両用アクセス制御装置（１）、人間もしくは車両にアクセス許可を与えるためのパーキングコラム、又は人間もしくは車両にアクセス許可を与えるための自動販売／支払い機のハウジング（４）。
【考案の詳細な説明】
【技術分野】
【０００１】
本考案は、請求項１の前段に記載された、人間もしくは車両用アクセス制御装置、人間もしくは車両にアクセス許可を与えるためのパーキングコラム、又は人間もしくは車両にアクセス許可を与えるための自動販売／支払い機のハウジングに関する。
【背景技術】
【０００２】
車両及び人間のアクセス制御のためのシステムは、先行技術により公知である。これらの技術は、一般的には、アクセス許可のための読み取り装置を有するアクセス制御装置を含み、検知された有効なアクセス許可に対して、アクセスブロックを解除のために遮断部材（ブロッキング要素）が開くように構成されている。人間用のアクセス制御装置の遮断部材としては、例えば、１つ又は２つ以上のブロッキングアームを含む回転式改札や、フラップゲートや、スウィングドア（自在ドア）や、折り戸などがある。また、車両用のアクセス制御装置の遮断部材としては、例えば、バリアゲートや、バリアゲート対などがある。
【０００３】
人用のアクセス制御装置において、上記遮断部材は、ハウジングに対して取り付けられ、また、一般的には、このハウジング内に対して、アクセス制御装置を動作させる電子機器のみならず、好ましくは非接触式の、アクセス許可を読み取る読み取り装置が配設されている。
【０００４】
また、車両の運転者により動作されるときに、駐車券を発行するために用いられる駐車用のコンソールを設けることは公知である。このコンソールは、駐車場への入口車道の前に配置される。このようなコンソールは、駐車バリアを動作させるために電子的に接続され、駐車券が発行されると、駐車バリアを開放して車両に入場を許可する。先行技術によれば、駐車券は、駐車場から出る前に支払い機により読み取られなければならず、読み取り後に支払いが行われる。駐車券に対応する料金が支払われた後、駐車バリアに対応したパーキングコラム（ｐａｒｋｉｎｇ  ｃｏｌｕｍｎ）の読み取り装置によって駐車券が読み取られると、駐車バリアは開かれる。
【０００５】
このような装置のハウジングは、その外観に関し、駐車場の運営者の要望によってカスタマイズされることが多い。例えば、広告、ロゴ、運営者に固有の付加的データなどの情報が、上記アクセス制御装置、パーキングコラム、又は自動販売／支払い機のハウジングもしくはハウジングの一部に付与される。また、ハウジングのカラーデザインは、ブランド戦略に沿って運営者の企業イメージに適応させることができる。一般に、このようなハウジングは、複数の部品から構成されている。一般的にハウジングの外観は、その形状を除き、組立状態において目に触れる表面部分が塗装されることによって決まる。更に、ハウジング上に表示されることになる、広告、ロゴなどの情報もまた、塗装、又は、粘着ラベル（ステッカー）を張り付けることにより付与することができる。しかしながら、これらの形状以外のハウジングの外観を決定する特徴は、外部に露出されて外部からの影響を受けるため、上記塗装コーティングや、粘着ラベルは、装置が使用されている間に、大なり小なり、必然的に傷つけられる。
【０００６】
例えば、スキー場における人間用のアクセス制御装置のハウジングの外面は、スキーヤーが通過する際にスキーヤーのスキー道具によって傷つけられたり、引っ掻かれたりすることがある。これは、元々は魅力的であった外観に影響を与えるだけでなく、ハウジングに付与された情報の可読性も低下させることになる。
【０００７】
このため、運営者の要求を満たすためには、ハウジング又はハウジングの一部は、頻繁に交換又は補修しなければならなかった。
【０００８】
また、上記スキー場における人間用のアクセス制御装置のハウジングなどのこれらのハウジングは、厳しい気象状況に晒されることが多く、これもまた、ハウジングの外面の損傷をもたらし、従って、ハウジングの外観を損なうことになる。また、ハウジングの外観は、暴力的な行為により損なわれる場合もある。
【考案の概要】
【考案が解決しようとする課題】
【０００９】
そこで、本考案は、通常使用されている状態において、外観の損傷を低減することが可能な人間もしくは車両用アクセス制御装置、人間もしくは車両にアクセス許可を与えるためのパーキングコラム、又は人間もしくは車両にアクセス許可を与えるための自動販売／支払い機のハウジングを提供することを目的とする。
【００１０】
また、ハウジング付与された情報が、運用中に生じた傷によって、その可読性に関して影響を受けないようにするべきである。更に、ハウジングの外観、ハウジングに付与された情報の可読性に与える天候の影響は低減されるべきである。
【課題を解決するための手段】
【００１１】
この課題は、請求項１に記載の特徴により解決される。さらなる実施形態及び利点は、従属請求項により明らかになろう。
【図面の簡単な説明】
【００１２】
【図１】本考案の実施の形態に係るアクセス制御装置を示す図。
【図２】アクセス制御装置のハウジングのフロントパネルを示す図。
【考案を実施するための形態】
【００１３】
このため、以下のような人間もしくは車両用アクセス制御装置、人間もしくは車両にアクセス許可を与えるためのパーキングコラム、又は人間もしくは車両にアクセス許可を与えるための自動販売／支払い機のハウジングが提案される。即ち、このハウジングは、少なくともその一部が透明材料によって構成されると共に、組み立てられた状態におけるこの透明材料によって構成された一部の内側には、塗装コーティング、箔（ホイル）、もしくは少なくとも１つの粘着ラベルによって形成された形状以外の外観を決める特徴（具体的には、外部から目視可能な彩色、及び、外部から得られるための情報など）が設けられている。
【００１４】
これは、ハウジングの、透明材料な材料からつくられた少なくとも一部の外観が、外部の影響から保護されることを保証し、この透明にした構成により表示されるべきカラーデザイン、及び、情報の目視可能性が保護される。例えば、スキー場における人用のアクセス制御装置の、外側から目視可能なハウジングの面は、スキーヤーがアクセス制御装置を通過するときにスキーヤーのスキー具により損傷されることがあるが、これは、ハウジングの外観に影響を与えない。
【００１５】
好ましくは、ハウジングの、透明な材料からつくられる一部分又は複数の部分、すなわち、透明材料からつくられるハウジング又はハウジングの部分は、透明なプラスチック又はプレキシガラスからつくられる。また、ハウジングの、透明な材料からつくられる部分は、好ましくは高い耐傷性を有する、強化ガラス又は安全ガラスからつくられる。
【００１６】
以下に、本考案を例示的に、添付図面に基づいて、より詳細に説明する。図１は、遮断部材（ブロッキング要素）として３つのブロッキングアーム３を備えた回転式改札（ゲート）２を有する人間用のアクセス制御装置１を示している。この回転式改札２は、ハウジング４に取り付けられており、ハウジング４の内部には、非接触にて取得されるアクセス許可の読み取り装置及び、装置１を作動させるための追加の電子部品及び機械的部品が配置されている。アクセス制御装置１を使用する人に対面し、且つフロントカバーとして機能するハウジング４の部分には参照番号５が付してあり、図２に斜視図として示している。
【００１７】
一般に、アクセス制御装置１のハウジング４の人に対面する部分５は、運営者の企業イメージに対応したカラーデザインを有しており、この部分５に、例えば、広告、ロゴ、及び／又は、運営者に固有のさらなるデータが付与されて、目視可能となっている。アクセス制御装置１を利用する人々に向けられたカラーデザイン及び情報は、形状を除くハウジング（ハウジングの一部）５の外観を決定する特徴である。
【００１８】
本考案によれば、使用時におけるハウジングの形状を除くハウジング部５の外観に対する損傷を回避するために、ハウジング４の一部５を、透明な材料（例えば、透明なプラスチック又はプレキシガラス）によって形成し、組み立て状態におけるハウジング４の内側に、形状を除くハウジングの一部５の外観に影響を与える特徴を含む、塗装や、箔張りや、少なくとも１つの粘着ラベルを貼り付けることが推奨される。具体的には、外部から目視可能な彩色、及び、外部から見られるための情報を、透明なハウジング部５の内側に付与している。
【符号の説明】
【００１９】
１：アクセス制御装置、４：ハウジング、５：ハウジングの一部
【図１】
0003201643.tif 000003
【図２】
0003201643.tif 000004
【手続補正書】
【提出日】平成27年10月21日(2015.10.21)
【手続補正１】
【補正対象書類名】実用新案登録請求の範囲
【補正対象項目名】全文
【補正方法】変更
【補正の内容】
【実用新案登録請求の範囲】
【請求項１】
人間もしくは車両用アクセス制御装置（１）、人間もしくは車両にアクセス許可を与えるためのパーキングコラム、又は人間もしくは車両にアクセス許可を与えるための自動販売／支払い機のハウジング（４）であって、
少なくともその一部（５）が透明材料によって形成され、組み立てられた状態における前記透明材料によって形成されたハウジング（４）の一部（５）の内側に、塗装、箔、もしくは少なくとも１つの粘着ラベルを設け、
前記塗装、箔、もしくは少なくとも１つの粘着ラベルは、外部から目視可能な情報を前記透明材料によって形成されたハウジング（４）の一部（５）の内側に付与することによって、前記透明材料によって形成されたハウジング（４）の一部（５）の外観を形状以外により規定する、
ことを特徴とする人間もしくは車両用アクセス制御装置（１）、人間もしくは車両にアクセス許可を与えるためのパーキングコラム、又は人間もしくは車両にアクセス許可を与えるための自動販売／支払い機のハウジング（４）。
【請求項２】
前記透明材料からつくられたハウジング（４）の少なくとも一部（５）は、透明なプラスチック、プレキシガラス、強化ガラス、又は安全ガラスによって形成されている、
ことを特徴とする請求項１記載の人間もしくは車両用アクセス制御装置（１）、人間もしくは車両にアクセス許可を与えるためのパーキングコラム、又は人間もしくは車両にアクセス許可を与えるための自動販売／支払い機のハウジング（４）。